(57)【要約】  検体測定器保護装置、これを含む測定器および方法。【特許請求の範囲】
【請求項１】
検体測定器の試験装置ポート領域に対合可能な本体と、
試験装置ポートと整列可能な、本体内のスロットとを備える、試験装置ポート保護装置。
【請求項２】
本体が、ポートの周りに実質的な流体密封を提供するように構成される、請求項１に記載の保護装置。
【請求項３】
保護装置が、測定器に取り外し可能に取り付け可能である、請求項１に記載の保護装置。
【請求項４】
保護装置が、測定器に固定式に取り付け可能である、請求項１に記載の保護装置。
【請求項５】
保護装置が、少なくとも１つの測定器係合要素を備える、請求項１に記載の保護装置。
【請求項６】
保護装置が、接着剤を有する、請求項５に記載の保護装置。
【請求項７】
保護装置が、リブを備える、請求項５に記載の保護装置。
【請求項８】
スロットの領域が、測定器のポートの領域より小さい、請求項１に記載の保護装置。
【請求項９】
スロットが、その中に受け入れる試験装置の面全域をぬぐい取るように寸法を決められる、請求項１に記載の保護装置。
【請求項１０】
スロットが、その中に受け入れる試験装置との間に隙間を形成するように寸法を決められる、請求項１に記載の保護装置。
【請求項１１】
保護装置が、少なくとも１つの試験装置ガイドを備える、請求項１に記載の保護装置。
【請求項１２】
保護装置が、溝を備える、請求項１１に記載の保護装置。
【請求項１３】
保護装置が、出っ張りを備える、請求項１１に記載の保護装置。
【請求項１４】
保護装置が、試験装置に対して圧力を加えない、請求項１に記載の保護装置。
【請求項１５】
測定器取り付け面を有する本体と、
測定器の試験装置ポートの周りに本体を取り付けるための協働要素とを備える、測定器の試験装置ポートを保護するための保護装置。
【請求項１６】
協働要素が、接着剤、リブ、または接着剤およびリブを有する、請求項１５に記載の保護装置。
【請求項１７】
保護装置が、接着剤を有し、接着剤が、試験装置ポートの周りに密封接触を実現する、請求項１６に記載の保護装置。
【請求項１８】
保護装置が、スロットを備える、請求項１５に記載の保護装置。
【請求項１９】
スロットが、測定器に対して開口のサイズを縮小する、請求項１８に記載の保護装置。
【請求項２０】
保護装置が、試験装置に対して圧力を加えない、請求項１５に記載の保護装置。
【請求項２１】
ポートを備える検体測定器と、
測定器に取り付けられ、測定器ポートと整列されたスロットを備えるポート保護装置とを備える、検体測定用システム。
【請求項２２】
スロットの領域が、ポートの領域より小さい、請求項２１に記載のシステム。
【請求項２３】
保護装置が、スロット内に配置された試験装置に対して圧力を加えない、請求項２２に記載のシステム。
【請求項２４】
スロットの少なくとも１つの面と、試験装置との間に隙間が形成される、請求項２２に記載のシステム。
【請求項２５】
スロットが、頂部、底部、および２つの側部によって画定され、試験装置とスロットの頂部との間に隙間が形成される、請求項２４に記載のシステム。
【請求項２６】
試験装置とスロットの２つの側部との間に隙間が形成される、請求項２５に記載のシステム。
【請求項２７】
検体濃度を測定するための方法であって、
測定器に対して開口のサイズを縮小するために測定器に部材を取り付けるステップと、
部材の通路を通って測定器の中へ試験装置を進行させるステップと、
試験装置に付加された試料の検体濃度を測定するステップとを含む方法。
【請求項２８】
測定器から部材を取り外すステップを含む、請求項２７に記載の方法。
【請求項２９】
測定器に第２の部材を取り付けるステップをさらに含む、請求項２８に記載の方法。
【発明の詳細な説明】
【技術分野】
【０００１】
本出願は、米国以外の全ての国の指定に関する出願人である米国国内企業のＡＢＢＯＴＴ  ＤＩＡＢＥＴＥＳ  ＣＡＲＥ社および米国のみの指定に関する出願人は、米国国民Ｆｒｅｄｒｉｃｋ  ＡＲＢＯＧＡＳＴ、米国国民Ｐａｕｌ  ＳＴＲＡＳＭＡ、米国国民Ｌａｒｒｙ  ＡＺＺＡＮＯの名義で２００７年１２月１９日にＰＣＴ国際特許出願として出願され、２００６年１２月２６日に出願された米国仮特許出願シリアル番号６０／８７１，９１０の優先権を主張する。
【０００２】
本発明は検体測定器保護装置および方法に関する。
【背景技術】
【０００３】
検体試験装置は、センサと称される場合もあり、一般に、体液中の検体のレベルを監視するのに使用される。例えば、糖尿病患者は、検体試験装置を使用して、身体のグルコースレベルを監視する。
【０００４】
検体の試験は、一日一回の試験を要することがあるが、典型的には、複数の検体試験装置、すなわち、各試験ごとに１つの試験装置を使用して、一日を通して定期的に行う必要がある。試験装置を「読み取る」ために、すなわち、試験装置に付加された体液を分析し、１つまたは複数の検体レベルを測定するために、多くの場合「測定器」と称される試験装置読取り装置が使用される。試験装置に体液の試料が付加される前またはその後のいずれかに、試験装置は、測定器によって受けられる。測定器は、多様な機能を果たし、ユーザに検体レベルを提供するために、試験装置に付加された試料を分析する。
【０００５】
測定器の試験装置を受け入れる領域は、通常、試験装置「ポート」と称され、試験するために試験装置を受け入れる、測定器内の開口である。したがって、試験装置ポートは、測定器の外部の環境から測定器の内部までの開口である。内部が試験装置ポートによって外部環境に曝されることから、汚染物質がポートを通って測定器の内部に進入する可能性がある。例えば、血液、間質液、対照溶液、洗浄液、または他の流体からポートの中への意図されない流体の進入が発生する可能性がある。この意図されない流体の進入は、読取り値を妨害し、検体結果を混乱させる恐れがある。正確な検体レベル読取り値を得ることの重要性を考えると、測定器が汚染されないことが必須である。
【先行技術文献】
【特許文献】
【０００６】
【特許文献１】米国特許第６，１７５，７５２号明細書
【特許文献２】米国特許第６，０７１，３９１号明細書
【特許文献３】米国特許第６，１２０，６７６号明細書
【特許文献４】米国特許第６，１４３，１６４号明細書
【特許文献５】米国特許第６，２９９，７５７号明細書
【特許文献６】米国特許第６，３３８，７９０号明細書
【特許文献７】米国特許第６，３７７，８９４号明細書
【特許文献８】米国特許第６，６００，９９７号明細書
【特許文献９】米国特許第６，７７３，６７１号明細書
【特許文献１０】米国特許第６，５１４，４６０号明細書
【特許文献１１】米国特許第６，５９２，７４５号明細書
【特許文献１２】米国特許第５，６２８，８９０号明細書
【特許文献１３】米国特許第５，８２０，５５１号明細書
【特許文献１４】米国特許第６，７３６，９５７号明細書
【特許文献１５】米国特許第４，５４５，３８２号明細書
【特許文献１６】米国特許第４，７１１，２４５号明細書
【特許文献１７】米国特許第５，５０９，４１０号明細書
【特許文献１８】米国特許第６，５４０，８９１号明細書
【特許文献１９】米国特許第６，７３０，２００号明細書
【特許文献２０】米国特許第６，７６４，５８１号明細書
【特許文献２１】米国特許第６，２９９，７５７号明細書
【特許文献２２】米国特許第６，３３８，７９０号明細書
【特許文献２３】米国特許第６，４６１，４９６号明細書
【特許文献２４】米国特許第６，５０３，３８１号明細書
【特許文献２５】米国特許第６，５９１，１２５号明細書
【特許文献２６】米国特許第６，６１６，８１９号明細書
【特許文献２７】米国特許第６，６１８，９３４号明細書
【特許文献２８】米国特許第６，６７６，８１６号明細書
【特許文献２９】米国特許第６，７４９，７４０号明細書
【特許文献３０】米国特許第６，８９３，５４５号明細書
【特許文献３１】米国特許第６，９４２，５１８号明細書
【特許文献３２】米国特許第６，１７５，７５２号明細書
【特許文献３３】米国特許第６，５１４，７１８号明細書
【発明の概要】
【発明が解決しようとする課題】
【０００７】
したがって、測定器が、検体を監視するのに継続して使用される際、汚染から保護される検体監視デバイスへの関心が継続している。関心を集めているのは、容易に取り外し可能であり、取り替え可能、例えば、使い捨てのポート保護装置である。
【課題を解決するための手段】
【０００８】
検体試験医療デバイス、およびそれと共に使用するための構成要素、ならびに検体試験のために、医療デバイスおよび構成要素を使用する方法が提供される。
【０００９】
種々の実施形態は、測定器試験装置ポートの領域に取り付け可能な測定器ポート保護装置を含む。多くの実施形態において、保護装置は使い捨てであり、例えば、容易に取り外し可能であり取り付け可能である。
【００１０】
特定の実施形態において、保護装置は、検体試験装置を受けるためのスロットを含む。スロットは、スロットの表面と受け入れた試験装置の表面との間に最小の隙間を形成するように、寸法を決められてよい。例えば、特定の実施形態において、保護装置スロットは、受け入れた試験装置の流体を含む面全域をぬぐい取るまたはスキージをかけるように、寸法を決められてよい。これは、望ましくない流体が、測定器の試験装置ポートに進入するのを阻止するおよび／または試料を計測するのに有益であり得る。
【００１１】
多くの実施形態において、保護装置の開口によって画定された領域は、測定器のポートによって画定された領域より小さい。この方法において、測定器に対する開口のサイズは、保護装置によって縮小される。
【００１２】
実施形態はまた、自己整列保護装置を含む。これらの保護装置は、対応する測定器に保護装置を正確に配置する要素を含む。
【００１３】
また、試験装置ポートを含む検体測定器が提供される。実施形態は、ポートの周りに取り外し可能に固定されたポート保護装置を有する測定器を含む。特定の実施形態において、保護装置は、試験装置を受けるためのスロットを含む。
【００１４】
さらに、実施形態が、例えば、恒久的にまたは一時的に、ポート保護装置を測定器のポート領域の周りに取り付けるステップを含む方法が含まれる。特定の実施形態において、方法は、測定器ポートによって画定された領域のサイズを縮小するために、測定器に保護装置を取り付けるステップを含む。実施形態はまた、第１ポート保護装置を測定器から取り外し、第２保護装置を測定器に取り付けるステップを含む。これは、複数の試験装置を読み取るのに単一の測定器が使用される場合があり、少なくともこの試験装置のいくつかは、別々の個人からの試料を試験することがある病院または同様の環境で特に有益であり得る。
【００１５】
測定器に保護装置を接続するのに、様々な方法が採用されてよい。このような方法は、例えば接着剤、解除式タブなどを使用して、測定器に保護装置を取り外し可能に接続するステップを含む。
【００１６】
また、検体測定器および／またはポート保護装置および／または検体試験装置および／または穿刺デバイスを含むシステムおよびキットが提供される。特定の実施形態において、複数の保護装置が、例えば、キット内などで一緒にまとめられ、ユーザに提供されてよい。
【００１７】
本発明を特徴付けるこれらの機能および多様な他の機能は、添付の特許請求の範囲内で特に指摘される。本発明の試験装置、その利点、その用途、およびその用途によって得られるその目的をよりよく理解するために、本発明の多様な実施形態が示され記載される図面および添付の記載を参照することができる。
【００１８】
ここで、図面を参照すると、複数の図を通して、同様の参照番号および文字は、対応する構造物を示している。
【図面の簡単な説明】
【００１９】
【図１】検体測定器の例示の実施形態の等角正面図である。
【図２Ａ】ポート保護装置の例示の実施形態の等角正面図である。
【図２Ｂ】図２Ａの保護装置の等角背面図である。
【図２Ｃ】図２Ａの保護装置の等角背面図である。
【図３】図２Ａから図２Ｃの保護装置が設置された、図１の測定器の等角正面図である。
【発明を実施するための形態】
【００２０】
上記に概説したように、試験装置開口または検体監視デバイスのポートの周りに配置可能な保護装置が提供される。保護装置は、測定器に対合する、より具体的には、ポート領域に対合するように設計される。保護装置は、汚染物質が、試験装置ポートを通って測定器に進入するのを阻止するのに特に有益である。
【００２１】
保護装置は、開口を有する任意の医療デバイスと共に使用されるように構成されてよく、試験装置（試験ストリップまたはセンサとも称される）を受けるための開口を有する検体監視医療デバイス、例えば、カリフォルニア州、アラメダのＡｂｂｏｔｔ  Ｄｉａｂｅｔｅｓ  Ｃａｒｅ社によって提供されるものなど、生体外検体監視測定器または生体内検体監視システムと共に使用されるように構成される際、特に有益である。
【００２２】
ポートを含む測定器は、電気化学または光学測定器であってよく、これに限定するものではないが、体液の試料中のグルコース、血中β−ケトン、ケトン体、乳酸塩、アセチルコリン、アミラーゼ、ビリルビン、コレステロール、絨毛性ゴナドトロピン、クレアチンキナーゼ（例えば、ＣＫ−ＭＢ）、クレアチン、ＤＮＡ、フルクトサミン、グルコース、グルタミン、成長ホルモン、ホルモン、ケトン、乳酸塩、過酸化物、前立線特異抗原、プロトロンビン、ＲＮＡ、甲状腺刺激ホルモンおよびトロポニンを含めた１つまたは複数の検体のレベルを測定するように構成されてよい。測定器はまた、例えば、抗生物質（例えば、ゲンタマイシン、バンコマイシンなど）、ジギトキシン、ジゴキシン、乱用薬物、テオフィリン、およびこれも測定することができるワルファリンなどの体液の試料中の薬物濃度を測定するように構成されてよい。特定の実施形態において、保護装置は、グルコースおよびケトンを監視することができる、ＦｒｅｅＳｔｙｌｅ（Ｒ）商標の血中グルコース監視測定器またはＰｒｅｃｉｓｉｏｎ（Ｒ）商標の血液監視測定器、または他のこのような検体測定器と協働するように成形されサイズを決められる。保護装置は、複数の患者に対して単一の測定器が使用される場合のある病院または同様の診療所環境において使用されるように設計された測定器での使用を見いだすことができる。このようなシステムは、これに限定するものではないが、Ａｂｂｏｔｔ  Ｄｉａｂｅｔｅｓ  Ｃａｒｅによって製造されたＰｒｅｃｉｓｉｏｎ  ＰＣｘ測定器およびＦｒｅｅＳｔｙｌｅ  Ｃｏｎｎｅｃｔ測定器およびＰｒｅｃｉｓｉｏｎ  Ｘｃｅｅｄ  Ｐｒｏを含める。
【００２３】
特定の実施形態において、保護装置は、継続検体監視システムのポートと対合するように構成されてよい。例えば、継続グルコース監視システムは、経皮的に配置された、または完全に植え込まれた挿入されたグルコースセンサからの検体データを受信する構成要素を含んでよく、この構成要素は、例えば、ディスプレイを介して聞き取ることにより、または視覚的にユーザに検体結果を伝達するように構成されてよい。継続監視システム受信器は、従来の血中グルコース測定器を含んでよく、したがって、グルコース試験装置を受け入れるためのポートを含んでよい。例えば、検体測定器は、例えば、送信器モジュール、受信器モジュールなど、継続検体監視システムのモジュール内に組み込まれてよい。これは、継続システムを較正および／または確認するのに便利であり得る。従来の測定器および試験ストリップは、ワンポイント較正または他の較正プロトコルを使用して、継続システム（例えば、ＵＳ６，１７５，７５２を参照）を較正するのに使用されてよい。測定器は、スタンドアローン測定器、ならびに、例えば、継続検体監視システムと一体式に作動可能に接続されたものを含むことを理解すべきである。例示の試験装置および測定器および継続検体監視システム（生体内システムと称される場合もある）は、ＵＳ６，０７１，３９１、ＵＳ６，１２０，６７６、ＵＳ６，１４３，１６４、ＵＳ６，２９９，７５７、ＵＳ６，３３８，７９０、ＵＳ６，３７７，８９４、ＵＳ６，６００，９９７、ＵＳ６，７７３，６７１、ＵＳ６，５１４，４６０、ＵＳ６，５９２，７４５、ＵＳ５，６２８，８９０、ＵＳ５，８２０，５５１、ＵＳ６，７３６，９５７、ＵＳ４，５４５，３８２、ＵＳ４，７１１，２４５、ＵＳ５，５０９，４１０、ＵＳ６，５４０，８９１、ＵＳ６，７３０，２００、ＵＳ６，７６４，５８１、ＵＳ６，２９９，７５７、ＵＳ６，３３８，７９０、ＵＳ６，４６１，４９６、ＵＳ６，５０３，３８１、ＵＳ６，５９１，１２５、ＵＳ６，６１６，８１９、ＵＳ６，６１８，９３４、ＵＳ６，６７６，８１６、ＵＳ６，７４９，７４０、ＵＳ６，８９３，５４５、ＵＳ６，９４２，５１８、ＵＳ６，１７５，７５２およびＵＳ６，５１４，７１８、ならびにその他に記載されるものなどの試験装置および測定器を含む。特定の実施形態において、ポートは、例えば一体式に薬物送達システム内に、例えば、ポンプまたはその制御装置モジュールなどインシュリンポンプモジュール内に含まれてよい。
【００２４】
特定の実施形態において、ポートは、試験装置スロットを含んでよい。スロットは、保護装置の本体内を通る通路である。このようなスロットは、検体試験装置を中に通すように寸法を決められる。したがって、特定の実施形態は、保護装置が測定器に接続される際、測定器ポートと整列可能なスロットを含む。この方法において、保護装置が、測定器ポートの周りに配置される際、試験装置は、保護スロットを通ってポート内へと容易に通過することができる。
【００２５】
スロットは、任意の好適な寸法であってよい。特定の実施形態において、スロットは、スロットの少なくとも１つの面と、受け入れた試験装置の少なくとも１つの面との間に最小の隙間を形成するように、サイズを決められ成形されてよい。例えば、隙間は、１桁のミリメータ、例えば、約２．５ｍｍ未満、例えば、約１ｍｍ未満であってよい。特定の実施形態において、保護装置スロットの少なくとも１つの面は、試験装置の少なくとも１つの面と接触する、例えば、受け入れた試験装置の流体を含む面全域をぬぐい取るまたはスキージをかけるように構成されてよい。これは、望ましくない流体が、測定器の試験装置ポートに進入するのを阻止するおよび／または試料を計測するのに有益であり得る。
【００２６】
多くの実施形態において、保護装置の開口によって画定された領域は、測定器のポートによって画定された領域より小さい。この方法において、測定器に対する開口のサイズは、保護装置によって縮小される。例えば、特定の実施形態において、保護装置のスロットによって画定された領域は、それを取り付けることができる測定器のポートによって画定された領域の１００％未満であってよく、例えば、保護装置のスロットによって画定された領域は、測定器のポートによって画定された領域の１００％未満であってよく、例えば、測定器のポートによって画定された領域の８０％未満であってよい。
【００２７】
スロットは、任意の好適な形状であってよい。形状は、測定器がこれを受け入れるように設計された試験装置の形状に少なくとも部分的に依存してよい。特定の実施形態において、例えば、ほぼ矩形の試験装置が利用される場合、スロットは、ほぼ矩形であってよい。当然のことながら、他のスロット形状も使用されてよい。
【００２８】
特定の実施形態において、スロットは、少なくとも部分的にスロットを横断して、いくつかの実施形態においては、スロットを完全に横断して配置される可撓性の弁を含んでよい。可撓性弁は、例えば、試験装置がそれに対して押されることによって増加したスリット上の圧力に応答して、試験装置がその中を通過することができるように開放する自己密封スリットを含んでよい。
【００２９】
多くの実施形態において、保護装置は、保護装置のスロット内に受けた試験装置に圧力を加えない。
【００３０】
ポート保護装置は、測定器に固定式に取り付けられる／取り付け可能であってよい、または測定器から完全に取り外し可能であってよい。例えば、保護装置は、ポートを覆って測定器に取り付け可能であってよいが、さらに、試験装置ポートへのアクセスが望まれる際、および／または別の保護装置との交換が望まれる際、ユーザによって容易に取り外し可能であり得る。１つまたは複数の係合要素が使用されてよい。係合要素は、保護装置および／または測定器上に配置されてよい。特定の実施形態において、保護装置の測定器接触面上に接着剤が利用される。接着剤は、接触接着剤、圧感接着剤、膠剤、エポキシ樹脂、接着樹脂など任意の好適な接着剤であってよい。特定の実施形態において、接着剤は、例えば、泡など好適な厚みの膜に塗布される。接着剤は、使用するまで周辺環境から接着剤を保護するために、取り外し可能なはく離ライナーによって覆われてよい。はく離ライナーは、いずれの従来の材料であってよく、代表的なはく離フィルムは、例えば、ＰＥＴまたはＰＰなどポリエステルを含む。
【００３１】
特定の実施形態において、成型された要素が使用されてよい。このような要素は、例えば、特にスロットを含む実施形態の場合、保護装置を測定器に取り付けるおよび／または保護装置を測定器と整列させる助けをすることができる。試験装置がスロットの中を通ってポート内に進むことができるように、成型要素は、保護装置のスロットをポートと整列させるのに使用されてよい。例えば、リブまたはタブが使用されてよい。１つまたは複数のリブ（保護装置および／または測定器上の）は、対合要素と協働することができる。実施形態はまた、測定器とスナップ嵌めおよび／または摩擦嵌合するように構成された保護装置を含む。特定の実施形態において、保護装置の測定器と接触する面は、測定器の面に対応する形態を有してよく、例えば、測定器の面と反対向きであってよい。特定の実施形態において、保護装置の一部は、測定器に固定式に取り付けられてよく、取り付けられない部分は、測定器から離れて移動することが可能である。これは、保護装置を清掃するのに有益であり得る。特定の実施形態において、結合された測定器と保護装置の境界面は、実質的な流体密封を提供する。
【００３２】
特定の実施形態において、保護装置はまた、試験装置をポートの中に誘導するように構成されてよい。例えば、スロットを有する保護装置は、スロットの周りに、ガイド、レール、チャネル、刻み目、くぼんだ構造体、高くなった構造体、締め具などを含んでよい。特定の実施形態は、出っ張りを含む。出っ張りは、スロットの延長であってよく、例えば、スロットの底部が、出っ張りを含んでよい。例えば、「頂部」、「底部」、「上方」および「下方」などの用語は、相対的意味においてのみ使用されることを理解されたい。特定の実施形態において、保護装置は、離間したガイドを含んでよい。この構成または類似の構成によって、試験装置は、ガイドに沿って所定の位置へと摺動されてよい。ガイドは、試験装置が、両ガイドの間に設置される際、試験装置が両ガイドの間にきっちり嵌合するように、寸法を決められてよい。試験装置を配置する際、試験装置の一部が、把持され（例えば、ユーザの指によって）、次いで、把持された部分を使用して、試験装置を両ガイドの間の設置位置へと摺動させることができる。
【００３３】
保護装置は、任意の好適な材料で作成されてよく、実質的に剛性または実質的に可撓性であってよい。特定の実施形態において、材料は、実質的に可撓性である。例えば、ゴムまたは他の弾性材料などのエラストマー材料が使用されてよい。例えば、泡が使用されてよい。特定の実施形態において、材料は、熱可塑性エラストマー（ＴＰＥ）、熱可塑性ウレタン（ＴＰＵ）、ポリカーボネート（ＰＣ）、アクリロニトリルブタジエン−スチレン（ＡＢＳ）、またはこれらの２つまたは３つの組み合わせであってよい。特定の実施形態において、保護装置は、ポート開口周辺の適合領域と共に、硬質プラスチックフレーム（例えばＰＣ−ＡＢＳ）を有する。
【００３４】
ここで図面を参照すると、図１は、検体測定器１０の例示の実施形態の等角正面図を示す。測定器１０は、内部空間を画定し、試験装置を受けるための試験装置ポート１４を有する筐体１２を含む。例示の検体試験装置２０は、測定器によって読み取られるように、ポート１４内に配置されて示される。検体試験装置２０、例えば、グルコース試験装置は、全体的に矩形の形状を有するように示されるが、任意に成形された試験装置が使用され得ることを理解されたい。検体試験装置２０は、測定器１０と共に使用するのに適したいずれの試験装置であってよい。試験装置２０の例は、例えば、ＵＳ６，２９９，７５７、ＵＳ６，５９１，１２５およびＵＳ６，６１６，８１９に開示される。試験装置は、試験されるべき試料（例えば、血液）を受けるために、１マイクロリットルを超えない、いくつかの実施形態では、約０．５マイクロリットルを超えない、さらに約０．２マイクロリットルを超えない容積の試料チャンバ容積を有してよい。
【００３５】
図１のこの特定の測定器実施形態は、係合もどり止め１６を含む。もどり止め１６は、ポート保護装置を保持するように構成される。
【００３６】
図２Ａは、ポート保護装置３０の例示の実施形態の等角正面図を示す。保護装置３０は、本体３１を含む。本体３１の中に、スロット３２が形成される。図２Ａの実施形態は、スロットを含むが、上記に記載するように、特定の実施形態はスロットを含まない。スロットを含まないこれらの実施形態において、保護装置は、ポートと協働するプラグとして形成されてよい。
【００３７】
保護装置３０はまた、この実施形態では、保護装置の両側に配置された誘導溝３３、および出っ張りまたは「飛び込み板（ｄｉｖｉｎｇ  ｂｏａｒｄ）」要素３４の形態の試験装置配置要素を含む。
【００３８】
保護装置３０はまた、取り付け要素を含む。図２Ｂおよび図２Ｃは、係合リブ３５を示す保護装置３０の等角背面図を示す。この実施形態における取り付け要素３５は、保護装置から外側に延在する係合突起の形態である。特定の実施形態において、係合の形態は、保護装置の中へ内側に延在する刻み目であってよい。取り付け要素はまた、保護装置を測定器と整列させるように機能する。
【００３９】
係合リブ３５は、測定器上のもどり止めと対合して、保護装置を測定器上の所定の位置に保持する。図２Ｂおよび図２Ｃに示される保護装置３５の背面の一部または全体は、上に接着剤を含んでよい。接着剤は、係合リブ３５に加えて、またはこれの代わりであってよい。
【００４０】
図３は、保護装置３０が上に設置された測定器１０の等角正面図を示す。示されるように、保護装置は、測定器の内部に対して開口を狭める。
【００４１】
検体試験を行う目的で、検体を試験するために試験装置に生体液の試料が与えられ、検体のレベルが測定される。試験装置が、測定器の中に配置される前またはその後に、試験装置に試料が付加されてよい。多くの実施形態において、測定されるのは、血液、間質液などにおけるグルコースレベルである。また、多くの実施形態において、生体液の供給源は、例えば、穿刺デバイスなどによって患者の皮膚を突き刺した後、患者から引き抜かれた微量の血液である。
【００４２】
種々の特定の好ましい実施形態および技術を参照して、本発明を記載してきた。しかしながら、本発明の精神および範囲内に留まりながら、多くの変形および修正を行うことができることは、当業者に明白であろう。
【００４３】
本明細書内の全ての特許および他の参照は、本発明に関連する当業者のレベルを示している。全ての特許および特許出願は、それぞれの個々の特許が、参照により明確に個々に組み込まれるのと同程度に、参照により本明細書に組み込まれる。
【図１】
2010515066.tif 000002
【図２Ａ】
2010515066.tif 000003
【図２Ｂ】
2010515066.tif 000004
【図２Ｃ】
2010515066.tif 000005
【図３】
2010515066.tif 000006
【国際調査報告】
2010515066.tif 000007
2010515066.tif 000008
2010515066.tif 000009